(57)【要約】【課題】代替原料を使用する場合における計量作業の効率化を図る。【解決手段】本発明に係る計量支援装置（１）は、計量対象の原料の識別情報（１４０）が計量すべき基本原料の識別情報（１１３）と一致するか否かを判定し、計量対象の原料の識別情報が基本原料の識別情報と一致する場合には、計量対象の原料の計量作業を許可する計量支援情報を表示させ、計量対象の原料の識別情報が基本原料の識別情報と一致しない場合には、計量対象の原料が代替原料の識別情報（１２３）と一致するか否かを判定し、計量対象の原料の識別情報が代替原料の識別情報と一致する場合には、計量対象の原料の計量作業を許可する計量支援情報を表示させ、計量対象の原料の識別情報が代替原料の識別情報と一致しない場合には、計量作業を許可しないことを示す計量支援情報を表示させることを特徴とする。【選択図】図１
2016153742.tif 000002
【特許請求の範囲】
【請求項１】
各種情報を表示するための表示部と、
計量すべき原料の識別情報と、前記計量すべき原料の代替品としての代替原料の識別情報とを記憶する記憶部と、
計量対象の原料の識別情報が入力される入力部と、
前記入力部に入力された前記計量対象の原料の識別情報と、前記記憶部に記憶された前記計量すべき原料の識別情報および前記代替原料の識別情報とに基づいて、計量作業を支援するための計量支援情報を前記表示部に表示させる計量支援処理部と、を備え、
前記計量支援処理部は、
前記計量対象の原料の識別情報が前記計量すべき原料の識別情報と一致するか否かを判定し、前記計量対象の原料の識別情報が前記計量すべき原料の識別情報と一致する場合には、前記計量対象の原料の計量作業を許可する前記計量支援情報を表示させ、
前記計量対象の原料の識別情報が前記計量すべき原料の識別情報と一致しない場合には、前記計量対象の原料が前記代替原料の識別情報と一致するか否かを判定し、前記計量対象の原料の識別情報が前記代替原料の識別情報と一致する場合には、前記計量対象の原料の計量作業を許可する前記計量支援情報を表示させ、前記計量対象の原料の識別情報が前記代替原料の識別情報と一致しない場合には、前記計量対象の原料の計量作業を許可しないことを示す前記計量支援情報を表示させる
ことを特徴とする計量支援装置。
【請求項２】
請求項１に記載の計量支援装置において、
前記計量支援処理部は、前記計量対象の原料の識別情報が前記代替原料の識別情報と一致する場合に、前記計量対象の原料が前記代替原料であることを示す情報を前記表示部に表示させる
ことを特徴とする計量支援装置。
【請求項３】
請求項１または２に記載の計量支援装置において、
前記計量支援処理部は、前記代替原料が計量された場合に、前記代替原料の計量値と、前記代替原料を計量したことを示す情報とを含む計量結果データを、前記記憶部に記憶する
ことを特徴とする計量支援装置。
【請求項４】
記憶部に記憶されている計量すべき原料の識別情報と入力された計量対象の原料の識別情報とを比較する第１ステップと、
前記第１ステップにおいて前記計量すべき原料の識別情報と前記計量対象の原料の識別情報とが一致する場合に、前記計量対象の原料の計量作業を許可する計量支援情報を表示部に表示させる第２ステップと、
前記第１ステップにおいて前記計量すべき原料の識別情報と前記計量対象の原料の識別情報とが一致しない場合に、前記記憶部に記憶されている代替原料の識別情報と前記計量対象の原料の識別情報とを比較する第３ステップと、
前記第３ステップにおいて前記計量対象の原料の識別情報が前記代替原料の識別情報と一致する場合に、前記計量対象の原料の計量作業を許可する計量支援情報を前記表示部に表示させる第４ステップと、
前記第３ステップにおいて前記計量対象の原料の識別情報が前記代替原料の識別情報と一致しない場合に、前記計量対象の原料の計量作業を許可しないことを示す計量支援情報を前記表示部に表示させる第５ステップと、を含む
ことを特徴とする計量支援方法。
【請求項５】
請求項４に記載の計量支援方法において、
前記第３ステップにおいて前記計量対象の原料の識別情報が前記代替原料の識別情報と一致する場合に、前記計量対象の原料が前記代替原料であることを示す情報を前記表示部に表示させる第６ステップを更に含む
ことを特徴とする計量支援方法。
【請求項６】
請求項４または５に記載の計量支援方法において、
前記代替原料が計量された場合に、前記代替原料の計量値と、前記代替原料を計量したことを示す情報とを含む計量結果データを、前記記憶部に記憶する第７ステップを更に含む
ことを特徴とする計量支援方法。
【請求項７】
請求項４乃至６の何れか一項に記載の計量支援方法の各ステップをコンピュータに実行させるためのプログラム。
【発明の詳細な説明】
【技術分野】
【０００１】
本発明は、製品の製造工程等において、原料の分量を計量する計量作業を支援するための計量支援装置、計量支援方法、およびプログラムに関する。
【背景技術】
【０００２】
一般に、食品や薬品等の各種の工業製品は、多種類の原料を必要な分量だけ計量し、計量した夫々の原料を調合等することにより、製造される。近年、工業製品を製造する製造工場等では、製造を支援するためのシステムとして、製造実行システム（ＭＥＳ：Ｍａｎｕｆａｃｔｕｒｉｎｇ  Ｅｘｅｃｕｔｉｏｎ  Ｓｙｓｔｅｍ）が用いられている。例えば、工業製品の製造工程における原料を計量する計量工程では、製造実行システムとして、計量支援装置が用いられている。
【０００３】
計量支援装置とは、作業者による計量作業を支援するための装置であり、例えば、作業者が指定された原料を指定された許容範囲内の分量だけ計量するように、予め作成された処方マスタに基づいて、計量作業を支援するための計量支援情報をモニタに表示し、計量結果を記録する装置である。
ここで、処方マスタとは、目的とする工業製品の製造に使用すべき原料として指定されている原料（以下、「基本原料」と称する。）の品目、基本原料の計量目標値、および基本原料の計量手順や調合手順等の情報を登録したデータである。計量支援装置は、この処方マスタに基づいて、計量すべき原料名をモニタに表示し、計量対象の原料が正しく計量されているか等の判定処理を行っている。
【０００４】
近年、上述した計量支援装置に代表される製造実行システムとして、作業者による作業ミスの防止やトレーサビリティを実現するための機能を備えているものが知られている。
例えば、特許文献１には、作業者によるミスを防止するために原料の小分け作業と投入作業における確認作業をペーパーレスで自動的に管理する小分け投入管理システムが開示されている。また、例えば計量支援装置として、計量作業を行う前に、原料が充填された容器や袋等に貼付された原料の識別情報を照合し、計量対象の原料が処方マスタに登録されている原料と一致するか否かを判定することにより、計量作業のミスを防止する機能を備えているものが知られている。
【先行技術文献】
【特許文献】
【０００５】
【特許文献１】特開２００１−１２０１９３号公報
【発明の概要】
【発明が解決しようとする課題】
【０００６】
ところで、食品等の製造工場では、使用すべき基本原料の在庫がない場合に、基本原料の代わりに、目的とする工業製品の最終的な品質に与える影響が無視できるほど小さく、工業製品の製造に使用することが許可されている別の原料（以下、「代替原料」と称する。）を用いることがある。この場合、従来の計量支援装置では、作業者が代替原料の計量を行おうとしても、計量対象の代替原料と処方マスタに登録されている基本原料とが一致しないことから、エラーが通知され、作業者は計量作業を継続することができない。
そのため、従来の計量支援装置を用いた計量作業では、代替原料を用いる場合に、その場で処方マスタを変更したり、新たな処方マスタを作成したりする必要があり、作業効率が悪いという問題がある。
【０００７】
また、代替原料を用いる場合の別の方法として、計量時に処方マスタを作成するのではなく、代替原料毎に複数の処方マスタを予め用意しておき、代替原料の使用が必要となった場合に、作業者が当該代替原料に係る処方マスタを適宜選択して計量作業を継続するという方法も考えられる。
しかしながら、一つの製品に対して複数の処方マスタを作成すると、処方マスタ毎に対応する計量結果を管理する必要があり、データの管理が複雑になるという問題がある。また、計量後に一つの製品に関する統計処理や分析処理を行う際に、処方マスタ毎の計量結果を整理する必要があり、統計処理や分析処理が複雑になるという問題もある。
【０００８】
本発明の目的は、代替原料を使用する場合における計量作業の効率化を図ることにある。
【課題を解決するための手段】
【０００９】
本発明に係る計量支援装置（１）は、各種情報を表示するための表示部（１２）と、計量すべき原料の識別情報（１１３）と、前記計量すべき原料の代替品としての代替原料の識別情報（１２３）とを記憶する記憶部（１０）と、計量対象の原料の識別情報（１４０）が入力される入力部（１３）と、前記入力部に入力された前記計量対象の原料の識別情報と、前記記憶部に記憶された前記計量すべき原料の識別情報および前記代替原料の識別情報とに基づいて、計量作業を支援するための計量支援情報を前記表示部に表示させる計量支援処理部（１１）とを備え、前記計量支援処理部は、前記計量対象の原料の識別情報が前記計量すべき原料の識別情報と一致するか否かを判定し、前記計量対象の原料の識別情報が前記計量すべき原料の識別情報と一致する場合には、前記計量対象の原料の計量作業を許可する前記計量支援情報を表示させ、前記計量対象の原料の識別情報が前記計量すべき原料の識別情報と一致しない場合には、前記計量対象の原料が前記代替原料の識別情報と一致するか否かを判定し、前記計量対象の原料の識別情報が前記代替原料の識別情報と一致する場合には、前記計量対象の原料の計量作業を許可する前記計量支援情報を表示させ、前記計量対象の原料の識別情報が前記代替原料の識別情報と一致しない場合には、前記計量対象の原料の計量作業を許可しないことを示す前記計量支援情報を表示させることを特徴とする。
【００１０】
上記計量支援装置において、前記計量支援処理部は、前記計量対象の原料の識別情報が前記代替原料の識別情報と一致する場合に、前記計量対象の原料が前記代替原料であることを示す情報（３００）を前記表示部に表示させても良い。
【００１１】
上記計量支援装置において、前記計量支援処理部は、前記代替原料が計量された場合に、前記代替原料の計量値（１３２）と、前記代替原料を計量したことを示す情報（１３３）とを含む計量結果データ（１３０）を、前記記憶部に記憶してもよい。
【００１２】
本発明に係る計量支援方法は、記憶部に記憶されている計量すべき原料の識別情報と入力された計量対象の原料の識別情報とを比較する第１ステップ（Ｓ１２）と、前記第１ステップにおいて前記計量すべき原料の識別情報と前記計量対象の原料の識別情報とが一致する場合に、前記計量対象の原料の計量作業を許可する計量支援情報を表示部に表示させる第２ステップ（Ｓ１６）と、前記第１ステップにおいて前記計量すべき原料の識別情報と前記計量対象の原料の識別情報とが一致しない場合に、前記記憶部に記憶されている代替原料の識別情報と前記計量対象の原料の識別情報とを比較する第３ステップ（Ｓ１３）と、前記第３ステップにおいて前記計量対象の原料の識別情報が前記代替原料の識別情報と一致する場合に、前記計量対象の原料の計量作業を許可する計量支援情報を前記表示部に表示させる第４ステップ（Ｓ１６）と、前記第３ステップにおいて前記計量対象の原料の識別情報が前記代替原料の識別情報と一致しない場合に、前記計量対象の原料の計量作業を許可しないことを示す計量支援情報を前記表示部に表示させる第５ステップ（Ｓ１４）と、を含むことを特徴とする。
【００１３】
上記計量支援方法は、前記第３ステップにおいて前記計量対象の原料の識別情報が前記代替原料の識別情報と一致する場合に、前記計量対象の原料が前記代替原料であることを示す情報を前記表示部に表示させる第６ステップ（Ｓ１５）を更に含んでもよい。
【００１４】
上記計量支援方法は、前記代替原料が計量された場合に、前記代替原料の計量値と、前記代替原料を計量したことを示す情報とを含む計量結果データを、前記記憶部に記憶する第７ステップ（Ｓ１８）を更に含んでもよい。
【００１５】
本発明に係るプログラムは、上記計量支援方法の各ステップをコンピュータに実行させるためのプログラムであることを特徴とする。
【００１６】
なお、上記説明では、一例として、発明の構成要素に対応する図面上の構成要素を、括弧を付した参照符号によって表している。
【発明の効果】
【００１７】
以上説明したことにより、本発明によれば、計量すべき原料の代わりに代替原料を用いる場合に、計量作業の効率化を図ることができる。
【図面の簡単な説明】
【００１８】
【図１】図１は、本発明の一実施の形態に係る計量支援装置を含む計量管理システムの構成を示す図である。
【図２】図２は、本発明の一実施の形態に係る計量支援装置の表示部に表示される計量支援情報の一例を示す図である。
【図３】図３は、本発明の一実施の形態に係る計量支援装置で用いられる処方マスタに含まれる基本原料データの一例を示す図である。
【図４】図４は、本発明の一実施の形態に係る計量支援装置で用いられる代替原料マスタの一例を示す図である。
【図５】図５は、本発明の一実施の形態に係る計量支援装置による計量結果データの一例を示す図である。
【図６】図６は、本発明の一実施の形態に係る計量支援装置における計量支援に係る処理の流れを示すフロー図である。
【図７】図７は、本発明の一実施の形態に係る計量支援装置において、計量対象の原料が代替原料である場合に表示部に表示される計量支援情報の一例を示す図である。
【図８】図８は、本発明の一実施の形態に係る計量支援装置による計量実績データの一例を示す図である。
【発明を実施するための形態】
【００１９】
以下、本発明の実施の形態について図を参照して説明する。
【００２０】
図１は、本発明の一実施の形態に係る計量支援装置を備えた計量管理システムの構成を示す図である。
同図に示される計量管理システム５００は、例えば、工場において工業製品の製造を支援および管理するための製造実行システムの一種であり、具体的には、食品や薬品などの工業製品の製造工程における原料の計量作業を支援するためのシステムである。計量管理システム５００は、計量器２と、計量支援装置１とを含む。
【００２１】
計量器２は、例えば工場で製造される食品や薬品等の工業製品の原料の分量（重さ）を計測するための機器である。計量器２は、計量支援装置１に接続され、計測結果を計量支援装置１に出力することができる。
【００２２】
計量支援装置１は、作業者による原料の計量作業を支援するための装置である。具体的に、計量支援装置１は、計量支援情報を後述する表示部１２に表示する機能と、計量器２の計測値等を計量実績として後述する記憶部１０に記憶する機能とに加えて、処方マスタに登録された基本原料以外の代替原料を用いる場合の計量作業を支援する機能等を備えている。以下、計量支援装置１について詳細に説明する。
【００２３】
図１に示されるように、計量支援装置１は、記憶部１０、計量支援処理部１１、表示部１２、および入力部１３を有している。
ここで、計量支援装置１は、ハードウェア資源であるコンピュータと、このコンピュータにインストールされたプログラムとから実現される。例えば、上記コンピュータは、ＣＰＵ等のプログラム処理装置と、ＲＡＭ（Ｒａｎｄｏｍ  Ａｃｃｅｓｓ  Ｍｅｍｏｒｙ）、ＲＯＭ、およびＨＤＤ（Ｈａｒｄ  Ｄｉｓｃ  Ｄｒｉｖｅ）等の記憶装置と、キーボード、マウス、ポインティングデバイス、操作ボタン、およびタッチパネル等の外部から情報を入力するための入力装置と、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信回線を介して各種情報の送受信を有線または無線で行うための通信装置と、ＬＣＤ（Ｌｉｑｕｉｄ  Ｃｒｙｓｔａｌ  Ｄｉｓｐｌａｙ）等の表示装置と、を備えている。
すなわち上記のハードウェア資源がプログラムによって制御されることにより、上述した記憶部１０、計量支援処理部１１、表示部１２、および入力部１３が実現される。なお、上記プログラムは、ＣＤ−ＲＯＭ、ＤＶＤ−ＲＯＭ、メモリカードなどの記録媒体に記録された状態で提供されるようにしてもよい。
【００２４】
表示部１２は、例えば、上述したＬＣＤやタッチパネル等の各情報を表示するための表示装置から構成されている。表示部１２は、例えば、計量作業を支援するための各種の計量支援情報を表示する。
【００２５】
図２に、計量作業時に計量支援装置１の表示部１２に表示される計量支援情報の一例を示す。
同図に示される計量支援画面２００には、計量支援情報として、作業者が計量を行う際に必要な情報、および計量支援装置１に対する指示を入力するための各種のアイコンが表示される。例えば、計量支援画面２００は、複数の表示領域２０１〜２０４を有する。表示領域２０１は、製造目的とされる製品の情報（例えば名称や製品コード）を表示する領域である。表示領域２０３は、上記製品の製造に必要な基本原料の各種情報をリスト化して表示する領域である。表示領域２０２は、表示領域２０３に表示されたリストの中から選択された一つの基本原料の情報を表示する領域である。表示領域２０４は、計量結果等に関する情報を表示する表示である。表示領域２０４には、計量結果情報２０４０と、計量の実行を指示するための計量実行アイコン２０４１と、計量結果の記録を指示するための計量結果確定アイコン２０４２が表示される。
【００２６】
入力部１３は、外部から情報を入力するための入力装置であり、例えば上述したキーボード、マウス、およびタッチパネル等の他に、ＲＦＩＤ（ｒａｄｉｏ  ｆｒｅｑｕｅｎｃｙ  ｉｄｅｎｔｉｆｉｅｒ）タグから情報を読み出すリーダやバーコードリーダ等を例示することができる。
入力部１３には、例えば計量を実行する前に、計量対象の原料の識別情報１４０が入力される。ここで、計量対象の原料の識別情報１４０としては、計量対象の原料に付された固有の原料コードや原料ロット番号等を例示することができる。
【００２７】
具体的には、例えば作業者が計量を開始する前に、計量対象の原料が充填された容器や袋等に貼付されている原料の識別情報（原料コードや原料ロット番号等）を、計量対象の原料の識別情報を入力部１３に入力する。より具体的には、入力部１３がキーボードやタッチパネルで構成されている場合には、作業者がキーボード等を操作によって上記識別情報を入力する。また、入力部１３がバーコードリーダやＲＦＩＤタグのリーダで構成されている場合には、リーダのセンサによってバーコードやＲＤＩＤタグから上記識別情報を読み取ることにより、上記識別情報を入力する。
【００２８】
記憶部１０は、例えば、上述したＲＡＭ、ＲＯＭ、フラッシュメモリ、およびハードディスク等の記憶装置から構成されている。記憶部１０には、計量支援装置１の各種機能を実現するためのプログラムやデータ、および計量実績等のデータが記憶される。具体的に、記憶部１０に記憶されるデータとして、処方マスタ１１０、代替原料マスタ１２０、および計量結果データ１３０＿１〜１３０＿ｎ（ｎは１以上の整数。）を例示することができる。以下、処方マスタ１１０、代替原料マスタ１２０、および計量結果データ１３０＿１〜１３０＿ｎについて詳細に説明する。
【００２９】
処方マスタ１１０は、上述したように、工業製品の製造に用いる原料の品目、各原料の計量目標値、原料の計量手順、および調合手順等の情報を記憶したデータである。
なお、本実施の形態では、処方マスタ１１０に記録されている各種情報のうち、工業製品の製造に必要な基本原料に関する情報を含む基本原料データ１１１＿１〜１１１＿ｎについてのみ説明し、その他の情報については説明を省略する。
【００３０】
図３は、計量支援装置１で用いられる処方マスタ１１０に含まれる基本原料データの一例を示す図である。
基本原料データ１１１＿１〜１１１＿ｎ（総称する場合は、「基本原料データ１１１」と表記する。）には、計量すべき原料（基本原料）の名称を示す基本原料名称情報１１２、基本原料を識別するための基本原料識別情報１１３、および基本原料の計量目標値を示す計量目標値情報１１４等が含まれている。ここで、基本原料識別情報１１３としては、原料毎に付された固有の原料コードや原料ロット番号等を例示することができる。
【００３１】
例えば、工業製品“かぼちゃジュース”の製造に用いる基本原料としてＡ社製のグラニュー糖が指定されている場合、“グラニュー糖”の基本原料情報１１１には、例えば、“Ａ社製のグラニュー糖”が基本原料名称情報１１２として、Ａ社製のグラニュー糖の原料ロット番号“２０１５０１１１”が基本原料識別情報１１３として、“５．０００ｋｇ”が計量目標値情報１１４として、夫々記憶されている。
【００３２】
また、基本原料データ１１１は、例えば目的とする工業製品の製造に必要な基本原料毎に登録されている。例えば、工業製品“かぼちゃジュース”の基本原料として“グラニュー糖”および“クエン酸”が指定されている場合、“グラニュー糖”の基本原料データ１１１＿１および“クエン酸”の基本原料データ１１１＿２が処方マスタ１１０に登録される。
【００３３】
なお、基本原料データ１１１には、上述した基本原料名称情報１１２、基本原料識別情報１１３、および計量目標値情報１１４の他に、計量支援や計量記録に必要な情報として、例えば、計量値の誤差範囲を示す許容範囲の情報や荷姿の情報等が含まれていてもよい。
【００３４】
代替原料マスタ１２０は、処方マスタ１１０に登録されている基本原料の代わりに原料として使用することができる代替原料に関する情報を記憶したデータである。代替原料マスタ１２０は、例えば、基本原料毎に対応して作成されている。
図４に、代替原料マスタ１２０の一例を示す。同図に示されるように、代替原料マスタ１２０には、代替原料データ１２１＿１〜１２１＿ｍ（総称する場合は、「代替原料データ１２１」と表記する。）が含まれる。
【００３５】
代替原料データ１２１には、例えば、代替原料の名称を示す代替原料名称情報１２２、および代替原料を識別するための代替原料識別情報１２３等を含む。ここで、代替原料識別情報１２３としては、原料毎に付与された固有の原料コードや原料ロット番号等を例示することができる。
【００３６】
例えば、かぼちゃジュースの製造に用いる基本原料“Ａ社製のグラニュー糖”の代替原料として“Ｂ社製のグラニュー糖”が登録されている場合、“グラニュー糖”の代替原料情報１１１には、例えば、“Ｂ社製のグラニュー糖”が代替原料名称情報１２２として、Ｂ社製のグラニュー糖の原料ロット番号“２０１５０１１５”が代替原料識別情報１２３として、夫々記憶されている。
【００３７】
また、基本原料の代替原料が複数ある場合には、代替原料毎に代替原料データ１２１を登録しておく。例えば、基本原料“Ａ社製のグラニュー糖”の代替原料として、“Ｂ社製のグラニュー糖”、“Ｃ社製のグラニュー糖”、および“Ｄ社製のグラニュー糖”が登録されている場合には、“Ｂ社製のグラニュー糖”の代替原料データ１２１＿１、“Ｃ社製のグラニュー糖”の代替原料データ１２１＿２、および“Ｄ社製のグラニュー糖”の代替原料データ１２１＿３が、代替原料マスタ１２０に登録される。
【００３８】
計量結果データ１３０＿１〜１３０＿ｎ（総称する場合は、「計量結果データ１３０」と表記する。）は、基本原料毎の計量実績の情報を記録したデータである。
図５に計量結果データ１３０の一例を示す。同図に示されるように、計量結果データ１３０には、例えば、原料情報１３１、計量実績値１３２、代替原料使用情報１３３が含まれる。
【００３９】
原料情報１３１は、計量した原料の情報であり、例えば、計量した原料の名称および計量した原料の識別情報等が含まれる。例えば、“Ａ社製のグラニュー糖”を計量した場合、原料の名称“Ａ社製のグラニュー糖”および“原料ロット番号（または原料コード）”が、原料情報１３１として記録される。
計量実績値１３２は、計量器２によって計測した原料の分量（重さ）を示す値である。計量実績値１３２には、例えば、風袋を含めた原料の計量値、風袋の重量、計量値から風袋の重量を差し引いた原料の正味重量値等が含まれる。
代替品使用情報１３３は、基本原料の代わりに代替原料の計量を行ったか否かを示す情報である。
【００４０】
次に、計量支援処理部１１について説明する。
計量支援処理部１１は、作業者による計量を支援するための各種のデータ処理を実行する機能部であり、計量支援処理部１１による各種の処理は、上述したＣＰＵ等が記憶部１０等に記憶されたプログラムを実行することによって実現される。
具体的に、計量支援処理部１１は、入力部１３に入力された計量対象の原料の識別情報と、記憶部１０に記憶された基本原料の識別情報および代替原料の識別情報とに基づいて、計量支援情報を表示部１２に表示させるとともに、計量器２による計量結果等の計量実績を記憶部１０に記憶する。以下、計量支援処理部１１による処理内容について、図６を用いて詳細に説明する。
【００４１】
図６は、計量支援装置１における計量支援に係る処理の流れを示すフロー図である。
先ず、計量対象の原料が選択される（Ｓ１０）。例えば、作業者が表示部１２に表示された計量支援画面の表示領域２０３に表示されている原料品目の中から、計量対象の原料を選択する。上記の選択は、作業者によるマウスによる操作やタッチパネルを介した入力により実行される。例えば、“かぼちゃジュース”の製造に必要な原料として登録された“クエン酸”の計量を行う場合には、作業者が、図６に示される計量支援画面における表示領域２０３内の“クエン酸”の領域２０３０を選択する。例えば、図２では、表示領域２０３内の“クエン酸”の領域２０３０の表示の色が反転することによって、“クエン酸”が選択されたことを表している。計量対象の原料が選択されると、計量支援処理部１１が、選択された原料に対応する基本原料データ１１１を読み出して、表示領域２０２に必要な情報を表示させる。例えば、表示領域２０２に、選択された原料の原料名として“クエン酸”、計量目標値として“０．３００ｋｇ”、計量値の誤差範囲を示す許容範囲として“０．２９５ｋｇ〜０．３０５ｋｇ”が夫々表示される。
【００４２】
次に、計量対象の原料の識別情報１４０が計量支援装置１に入力される（Ｓ１１）。例えば、前述したように、作業者が、計量対象の原料が入った容器または袋に貼付されているバーコードやＲＦＩＤタグをバーコードリーダ等の入力部１３によって読み取ることにより、計量対象の原料の識別情報１４０を入力する。ここでは、一例として、識別情報１４０が原料ロット番号であるものとする。
【００４３】
計量対象の原料の識別情報１４０が入力されると、計量支援装置１が、計量対象の原料がステップＳ１０で選択された基本原料であるか否かを判定する（Ｓ１２）。具体的には、計量支援処理部１１が、ステップＳ１０で選択された基本原料の基本原料識別情報１１３（例えば原料ロット番号）とステップＳ１１で入力された計量対象の原料の識別情報（原料ロット番号）１４０とが一致するか否かを判定する。
【００４４】
ステップＳ１２において、ステップＳ１０で選択された基本原料の識別情報１１３とステップＳ１１で入力された計量対象の原料の識別情報１４０とが一致した場合、計量支援装置１が、計量対象の原料の計量を許可する（Ｓ１６）。具体的には、計量支援処理部１１が、計量作業を許可することを示す情報を表示部１２に表示させる。例えば、図２に示すように計量支援画面２００における計量実行アイコン２０４１の色の反転や形状の変更等を行ったり、ポップアップウインドウ等を表示させたりすることによって、計量作業が可能であることを表示部１２に表示させる。
【００４５】
一方、ステップＳ１２において、ステップＳ１０で選択された基本原料の識別情報１１３とステップＳ１１で入力された計量対象の原料の識別情報１４０とが一致しなかった場合には、計量支援装置１が、計量対象の原料が登録された代替原料であるか否かを判定する（Ｓ１３）。具体的には、計量支援処理部１１が、ステップＳ１１で入力された計量対象の原料の識別情報（原料ロット番号）が、ステップＳ１０で選択された基本原料に対応する代替原料マスタ１２０に登録されている代替原料識別情報１２３の何れかと一致するか否かを判定する。
【００４６】
ステップＳ１３において、ステップＳ１１で入力された計量対象の原料の識別情報（原料ロット番号）が何れの代替原料識別情報１２３とも一致しない場合、またはステップＳ１０で選択された基本原料に対応する代替原料マスタ１２０が存在しない場合には、計量支援処理部１１が、計量作業を許可しないことを示す情報を表示部１２に表示させる（Ｓ１４）。例えば、ポップアップウインドウ等によってエラー画面を表示したり、図２に示した計量支援画面２００おける計量実行アイコン２０４１の色や形状等の表示を切り替えたり、入力を受け付けない状態したりすることにより、計量作業が継続できないことを、表示部１２の表示を介してユーザに通知する。その後は、例えば、ステップＳ１０に戻り、計量対象原料の選択の受け付けが可能な状態に戻る。
【００４７】
一方、ステップＳ１３において、ステップＳ１１で入力された計量対象の原料の識別情報（原料ロット番号）が何れかの代替原料識別情報１２３と一致する場合には、計量支援処理部１１が、計量対象の原料が代替原料であることを示す情報を表示部１２に表示させる（Ｓ１５）。例えば、図７に示すように、ポップアップウインドウ３００等によって、計量対象の原料が代替原料であることを示す情報を表示させる。その後は、ステップＳ１６に移行し、計量支援装置１が、計量対象の原料の計量を許可する。
【００４８】
ステップＳ１６において計量作業の実行が許可された後、原料の計量が実行される（Ｓ１７）。例えば、作業者によって、計量用の風袋に計量対象の原料が投入され、計量支援画面２００上の計量実行アイコン２０４１が選択されると、計量支援処理部１１が、計量器２の計測値を読み出して、計量結果領域２０４に必要な情報を表示する。
【００４９】
次に、計量支援処理部１１が計量実績を記憶部１０に記憶する（Ｓ１８）。例えば、ステップＳ１７における計量の実行後に、計量支援画面２００上の計量の完了を指示する確定アイコン２０４２が選択されると、計量支援処理部１１が、計量結果データ１３０を生成し、記憶部１０に記憶する。例えば、計量した原料が基本原料である場合には、計量支援処理部１１は、計量した原料の原料情報１３１および計量実績値１３２を含むデータを計量結果データ１３０として記憶部１０に記憶する。一方、計量した原料が代替原料である場合には、計量支援処理部１１は、例えば、計量した原料の原料情報１３１および計量実績値１３２に加えて、計量した原料が代替原料であることを示す代替原料使用情報１３３を計量結果データ１３０として記憶部１０に記憶する。計量実績の記憶部１０への記憶が完了すると、計量のための一連の処理が終了する。
【００５０】
以上の計量支援装置１を用いた計量作業によって記録された計量実績は、計量実績データとして参照することが可能である。
図８に、計量支援装置１による計量実績データの一例を示す。
計量実績データ１５０は、処方マスタ１１０、代替原料マスタ１２０、および計量結果１３０に含まれる情報の中から所望の情報を選択することによって生成されたデータである。例えば、図８に示されるように、計量実績データ１５０には、製品名、計量された原料の原料名、原料の識別情報（例えば原料ロット番号）、計量値、および計量日時等の情報に加えて、計量された原料が代替原料であることを示す情報が含まれている。
【００５１】
なお、計量実績データ１５０は、計量支援処理部１１が生成しても良いし、記憶部１０に記憶されている処方マスタ１１０、代替原料マスタ１２０、および計量結果１３０等のデータを通信装置を介して外部の情報処理装置（例えばＰＣやサーバ）に送信し、その情報処理装置によって生成しても良い。
【００５２】
以上、本発明に係る計量支援装置によれば、基本原料の識別情報が記録された処方マスタとは別に、代替原料の識別情報を登録し、計量対象の原料が登録された基本原料および代替原料の何れかと一致するか否かを判定するので、従来の計量支援装置のように、代替原料を使用する場合に、基本原料の情報が記録されている処方マスタを変更したり、新たな処方マスタを作成したりする必要がない。また、一つの製品に対して複数の処方マスタを作成する必要がないので、データの管理が容易となるとともに、計量後に計量実績に基づいて統計処理や分析処理を行う際の手間を省くことができる。
すなわち、本発明に係る計量支援装置によれば、代替原料を使用する場合における計量作業の効率化を図ることができる。
【００５３】
また、本発明に係る計量支援装置によれば、計量対象の原料の識別情報が登録された代替原料の識別情報と一致した場合に、計量対象の原料が代替原料であること表示部に表示させるので、行われようとしている計量作業がイレギュラーな作業であることを作業者に対して認識させることができ、計量作業におけるミスの発生を低減させることが可能となる。
【００５４】
更に、本発明に係る計量支援装置によれば、代替原料が計量された場合に、代替原料を計量したことを示す情報を計量値とともに記憶部に記憶するので、計量作業後において、計量実績データ等から代替原料が計量されたことを確認することが容易となる。
【００５５】
以上、本発明者らによってなされた発明を実施の形態に基づいて具体的に説明したが、本発明はそれに限定されるものではなく、その要旨を逸脱しない範囲において種々変更可能であることは言うまでもない。
【００５６】
例えば、上記実施の形態では、処方マスタ１１０とは別に、代替原料マスタ１２０を記憶部１０に記憶する場合を例示したが、これに限られない。例えば、代替原料データ１２１が、処方マスタ１１０に含まれる基本原料データ１１１とは別に管理することが可能なデータ構成となっているのであれば、代替原料データ１２１を基本原料データ１１１とともに処方マスタ１１０内に含めても良い。
【００５７】
また、代替原料データ１２１に含まれる情報として、代替原料名称情報１２２と代替原料識別情報１２３とを例示したが、これらに加えて、代替原料の計量目標値を示す情報を代替原料データ１２１に含めてもよい。これによれば、代替原料の計量目標値を基本原料の計量目標値と異なるように設定することが容易となり、計量作業の効率化に資する。
【００５８】
また、上記実施の形態では、食品（例えばかぼちゃジュース）の製造のために、本発明に係る計量支援装置を用いる場合を例示したが、これに限られず、その他の工業製品を製造する場合にも上記計量支援装置を用いることができることは言うまでもない。例えば、薬品を製造する場合にも、本発明に係る計量支援装置を用いることができる。
【００５９】
更に、上記実施の形態では、本発明に係る計量支援装置が、工場等における工業製品の製造工程で用いられる場合を例示したが、これに限られず、その他の用途においても広く用いることができる。例えば、原料の分析等を行う研究機関等において原料の計量を行う場合にも、本発明に係る計量支援装置を用いることができる。
【符号の説明】
【００６０】
１…計量支援装置、２…計量器、５００…計量システム、１０…記憶部、１１…計量支援処理部、１２…表示部、１３…入力部、１１０…処方マスタ、１２０…代替原料マスタ、１３０、１３０＿１〜１３０＿ｎ…計量結果データ、１４０…計量対象の原料の識別情報、１５０…入力部、１１１、１１１＿１〜１１１＿ｎ…基本原料データ、１１２…基本原料名称情報、１１３…基本原料識別情報、１１４…計量目標値情報、１２１、１２１＿１〜１２１＿ｍ…代替原料データ、１２２…代替原料名称情報、１２３…代替原料識別情報、１３１…原料情報、１３２…計量実績値、１３３…代替原料使用情報、２００…計量支援画面、２０１〜２０４…表示領域、２０４０…計量結果情報、２０４１…計量実行アイコン、２０４２…計量結果確定アイコン、３００…ポップアップウインドウ。
【図１】
2016153742.tif 000003
【図２】
2016153742.tif 000004
【図３】
2016153742.tif 000005
【図４】
2016153742.tif 000006
【図５】
2016153742.tif 000007
【図６】
2016153742.tif 000008
【図７】
2016153742.tif 000009
【図８】
2016153742.tif 000010